(57)【要約】【課題】  床面に殆ど水を飛散させず、水を無駄に消費することがなく、しかも、給水器の高さ方向位置を容易に変更できる家畜用給水装置を提供する。【解決手段】  給水パイプ２と、給水パイプ２を固定する支持部材３と、給水パイプ２の下端部に装着した給水器４と、給水器４を内在させた貯水カップ５と、給水パイプ２と配水パイプとの間に配設した水圧制御装置６と、から家畜用給水装置１を構成する。水圧制御装置６は、筐体内２５にフロート２８を配設した装置本体１６から成り、筐体２５内に貯留された水の水位によってフロート２８が上下移動し、筐体２５内への水の流入を制御する。支持部材３には、給水パイプ２を挿通させる案内孔７ａと、締付部材１０を螺合させるネジ孔７ｂを形成し、締付部材１０によって給水パイプ２の外周面を押圧できるようにする。【選択図】  図１
2008092805.tif 000002
【特許請求の範囲】
【請求項１】
水を流通させる給水パイプと、この給水パイプを支持する支持部材と、前記給水パイプの下端部に装着した給水器と、この給水器を内在させた貯水カップと、前記給水パイプと配水パイプとの間に配設した水圧制御装置と、から構成したことを特徴とする家畜用給水装置。
【請求項２】
前記水圧制御装置は、筐体内にフロートを配設した装置本体から成り、筐体内に貯留された水の水位によってフロートが上下移動し、筐体内への水の流入を制御するものであることを特徴とする請求項１に記載の家畜用給水装置。
【請求項３】
前記支持部材は、前記給水パイプを挿通させる案内孔と、締付部材を螺合させるネジ孔を形成して成り、前記締付部材の先端部によって前記給水パイプの外周面を押圧するものあることを特徴とする請求項１又は２に記載の家畜用給水装置。
【請求項４】
さらに、前記水圧制御装置は、前記装置本体の上方部又は下方部に流量調整バルブを付設したことを特徴とする請求項２又は３に記載の家畜用給水装置。
【発明の詳細な説明】
【技術分野】
【０００１】
本発明は、豚舎等の畜舎内の隔壁等に配設して、仔豚等に水を与えるための家畜用給水装置に関する。
【背景技術】
【０００２】
誕生した後、離乳した仔豚Ｐ１は、肥育舎３０１において肥育されることになるが、この肥育舎３０１内は、通常、図６に示すように、隔壁３０２又は柵３０３によって複数に区画されている。そして、各肥育区画３０４内には、仔豚Ｐ１又は肥育豚Ｐ２に餌を与えるための給餌装置３０５及び水を与えるための給水装置２０１が配設されている（例えば、特許文献１参照）。
【０００３】
従来、この種の給水装置２０１は、図６及び７に示すように、隔壁３０２の適宜位置に給水パイプ２０２を支持部材２０３を介して固定し、給水パイプ２０２の下端部に給水器２０５を装着すると共に、給水パイプ２０２の上端部に配水パイプの分岐部２０６の一端部を連結していた。そして、配水パイプの本管部の基端部は、畜舎全体に水を供給する給水栓に接続していた。
【０００４】
ここで、給水器２０５は、図８に示すように、本体２０７の基端部外周にネジ部２０８を刻設すると共に、本体２０７内を貫通する通水孔２０９を穿設してある。又、本体２０７の先端部に作用杆２１０を突出させ、基端部側の通水孔２０９には金網２１１を装着してある。そして、本体２０７のネジ部２０８を前記給水パイプ２０２の下端部に螺合させて、給水器２０５を給水パイプ２０２に装着していた。
【０００５】
前記給水装置２０１にあっては、図７に示すように、仔豚Ｐ１が給水器２０５を口に銜え、作用杆２１０を揺動することによって、給水パイプ２０２内に貯留された水を飲むことができるようになっている。
【０００６】
【特許文献１】実開平２−４６５５１号公報
【発明の開示】
【発明が解決しようとする課題】
【０００７】
しかし、前記給水装置２０１にあっては、畜舎内の多数の給水装置２０１に水を供給するため、配水パイプ内には高い水圧を付与してあると共に、仔豚Ｐ１が給水器２０５を口に銜え、給水器２０５から直接水を飲むようになっているから、給水器２０５の排出口から水が勢いよく流出して、仔豚Ｐ１が実際に飲む以上に床面に飛散する水が多く、無駄に消費される水が多かった。よって、畜舎内全体の水の使用量が多くなると、高圧で水を供給していても、水が不足する事態も発生した。
【０００８】
又、気温の高い地域では、図６に示すように、肥育区画３０４内によって区画したプール（水浴び場）３０６を形成してあるが、このプール３０６に貯留した水に仔豚Ｐ１が排泄する糞、尿Ｅ等が混入して、肥育舎３０１内が極めて不衛生になると共に、この貯留した水を仔豚Ｐ１が飲んだり、水浴びをしたりするので、仔豚Ｐ１が病気等を発症することもあった。
【０００９】
又、給水器２０５の排出口から水が勢いよく流出しないよう、給水器２０５において水圧を低減させる目的で、図８（Ｂ）に示すように、給水器２０５の通水孔２０９の孔径を１．０〜３．０ｍｍ程度としてある。しかし、通水孔２０９の孔径が小さいために、通水孔２０９内に砂塵、ゴミ、水垢等が付着して目詰まりが発生し易く、給水器２０５の排出口から水が流出しなくなる不具合も頻発していた。
そこで、従来は、通水孔２０９内に砂塵、ゴミ、水垢等が付着して目詰まりが発生しないよう、図８（Ｂ）に示すように、通水孔２０９の手前に金網部材２１１を装着して、砂塵、ゴミ、水垢等が通水孔２０９内に侵入しないようにしていた。
【００１０】
さらに、前記給水装置２０１にあっては、給水器２０５の高さ方向位置を容易に変更できる構造とはなっておらず、仔豚Ｐ１が生育して肥育豚Ｐ２になると、給水器２０５の位置が低すぎて、水を飲み難くなると共に、給水器２０５に糞、尿Ｅ等が付着して、肥育豚Ｐ２の肥育に問題が生じることもあった。
【００１１】
本発明は、かかる従来の問題点に鑑みて為されたものであって、その目的とするところは、床面に殆ど水を飛散させず、水を無駄に消費することがなく、又、肥育舎内を不衛生にすることがなく、仔豚Ｐ１が病気等を発症することもない家畜用給水装置を提供することにある。
【００１２】
又、目詰まりが発生することがなく、給水器の排出口から確実に水が流出すると共に、給水器の高さ方向位置を容易に変更できて、仔豚Ｐ１の生育に対応させて適切に水を飲むことができるようにし、給水器に糞、尿Ｅ等が付着せず、極めて衛生的な家畜用給水装置を提供することにある。
【課題を解決するための手段】
【００１３】
上記目的を達成するために、本発明は、水を流通させる給水パイプと、この給水パイプを固定する支持部材と、前記給水パイプの下端部に装着した給水器と、この給水器を内在させた貯水カップと、前記給水パイプと配水パイプとの間に配設した水圧制御装置と、から家畜用給水装置を構成したことを特徴とする。
【００１４】
ここで、前記水圧制御装置は、筐体内にフロートを配設した装置本体から成り、筐体内に貯留された水の水位によってフロートが上下移動し、筐体内への水の流入を制御するものであることを特徴とする。
【００１５】
かかる構成によれば、配水パイプ内の高い水圧は給水器において低減され、給水器における水圧は、水圧制御装置から給水器までの高低差によって決定され、常時安定した水圧を維持することができるから、仔豚が飲水する時に貯水カップの外部に水が飛び散って、周囲を不衛生にしたり、水を無駄に消費することもない。
【００１６】
又、給水器において水圧が低減されるから、給水器内を貫通する通水孔の孔径を大幅に大きくすることができ、通水孔に砂塵、ゴミ、水垢等が付着して目詰まりが発生し、給水器の排出口から水が流出しなくなる不具合も発生しなくなる。
よって、通水孔の手前に金網部材を装着する必要がなくなり、逆に、金網部材を装着すると、その網目に砂塵、ゴミ、水垢等が付着して目詰まりを発生させるから、金網部材を装着する意味がなくなった。
【００１７】
前記支持部材は、前記給水パイプを挿通させる案内孔と、締付部材を螺合させるネジ孔を形成し、締付部材の先端部によって給水パイプの外周面を押圧するものあることが好ましい。
【００１８】
かかる構成によれば、給水パイプを高さ方向に適宜移動させることによって、給水器の高さ方向位置を容易に変更することができ、仔豚が生育して肥育豚になっても、給水器の位置が低すぎて、水を飲み難くなることもなく、又、貯水カップ内に糞、尿等が侵入することもないから、肥育豚の肥育に問題が生じることもない。
【００１９】
又、前記水圧制御装置は、前記装置本体の上方部又は下方部に流量調整バルブを付設してもよい。
【００２０】
かかる構成にすれば、流量調整バルブを操作することによって、給水器に供給される水の流量を適宜調整できるから、畜舎全体の使用水量に対応させて、又、仔豚の生育状況に対応させて、水の供給量を適宜変更させることができる。
【発明を実施するための最良の形態】
【００２１】
以下、本発明の家畜用給水装置の好適な実施形態について、図面を参照しつつ詳細に説明する。
【００２２】
本発明の家畜用給水装置１は、図１に示すように、給水パイプ２と、支持部材３と、給水器４と、貯水カップ５と、水圧制御装置６とから構成される。
【００２３】
給水パイプ２は、仔豚Ｐ１が飲む水を流通させるパイプであって、図１及び５に示すように、肥育区画１０４を画成する隔壁１０２の表面の適宜位置に支持部材３を介して固定してある。
【００２４】
支持部材３は、図１に示すように、屈曲筒状部７とフランジ部８とより成り、屈曲筒状部７には、垂直方向に案内孔７ａを穿設してあると共に、水平方向にネジ孔７ｂを形成してある。又、フランジ部８には、長孔８ａ，８ａを穿設してある。
【００２５】
そして、支持部材３のフランジ部８を隔壁１０２の表面に当接させ、長孔８ａ，８ａにボルト９，９のネジ部を挿通させ、予め隔壁１０２に形成した埋込穴（図示しない）にボルト９，９のネジ部を埋め込めば、支持部材３を隔壁１０２の表面の適宜位置に固定できるようになっている。
【００２６】
又、支持部材３の屈曲筒状部７の案内孔７ａに給水パイプ２を挿通させ、屈曲筒状部７のネジ孔７ｂに締付部材１０のネジ部１０ａを螺合させ、把持部１０ｂを回動させてネジ部１０ａの先端部によって給水パイプ２の外周面を押圧すれば、給水パイプ２を適宜位置に固定できるようになっている。
【００２７】
給水器４は、図１及び２に示すように、本体１１の基端部外周にネジ部１２を刻設すると共に、本体１１内を貫通する通水孔１３を穿設してある。又、本体１１の先端部に作用杆１４を突出させてある。
【００２８】
そして、本体１１のネジ部１２を前記給水パイプ２の下端部に螺合させ、給水器４を給水パイプ２の下端部に装着してある。
【００２９】
貯水カップ５は、図１に示すように、楕円形断面を呈する深鍋状部材であって、周面部には挿通孔５ａを穿設してある。
【００３０】
そして、貯水カップ５の挿通孔５ａに前記給水パイプ２の下端部を挿通させ、下端部を取付部材１５を介して貯水カップ５の斜面部に固定することによって、貯水カップ５を給水パイプ２の下端部に連結させてある。
【００３１】
ここで、貯水カップ５を給水パイプ２の下端部に連結させた時、貯水カップ５は適宜角度傾斜しており、貯水カップ５の周面部下側及び斜面部下側には、給水器４から流出した水が貯留されるようになっている。
【００３２】
水圧制御装置６は、図１及び３に示すように、装置本体１６と、上側流量調整バルブ１７と、下側流量調整バルブ１８と、から構成してある。
【００３３】
上側流量調整バルブ１７は、筐体１９内に弁体２０を配置してあり、この弁体２０を作用杆２１によって回動操作させ、バルブの開度を調節することによって、水の流量を適宜調整できるようになっている。
【００３４】
下側流量調整バルブ１８も、筐体２２内に弁体２３を配置してあり、この弁体２３を作用杆２４によって回動作動させ、バルブの開度を調節することによって、水の流量を適宜調整できるようになっている。
【００３５】
本実施例においては、上側流量調整バルブ１７、下側流量調整バルブ１８共に、ボールバルブを採用しているが、グローブバルブ（玉形弁）等の適宜流量調整バルブを採用してもよい。
【００３６】
装置本体１６は、容器２６と蓋体２７とから成る筐体２５と、容器２６内に配置されるフロート２８と、から構成してある。
【００３７】
容器２６は、底面部の中央部に突出部２９を形成してあり、その突出部２９には流出孔３０を形成してある。突出部２９は、その下端部に連結部材３１を介して下側流量調整バルブ１８の上端部を連結してある。
【００３８】
そして、下側流量調整バルブ１８の下端部には前記給水パイプ２の上端部を接続してある。
【００３９】
蓋体２７は、一端部に突出部３３を形成してあり、その突出部３３には流入孔３４を形成してある。突出部３３の上端部には上側流量調整バルブ１７の下端部を連結し、上側流量調整バルブ１７の上端部には、畜舎内に配設した多数の給水装置１，１，・・・に水を供給する配水パイプの分岐部３５を接続してある。
【００４０】
又、蓋体２７は、一端部の内壁面から下方にフロート支持部３６を突設してあり、フロート支持部３６に支持ピン３７を配置してある。
さらに、蓋体２７の中央部には、透明なプラスチック板を嵌入した監視窓３８を形成してあり、この監視窓３８から容器２６内を視認できるようになっている。
【００４１】
フロート２８は、プラスチック材料から成る軽い中空成形体であって、本体部３９と、支持部４０と、から構成してあり、支持部４０の一端部にはピン嵌挿孔４０ａを穿設してある。
このピン嵌挿孔４０ａに前記フロート支持部３６に配置された支持ピン３７を挿通させることによって、フロート２８は支持ピン３７を中心として揺動自在となっている。
【００４２】
ここで、フロート２８の支持部４０の上面には、耐水性の高いゴム材料から成るパッキン４１を固定してある。
又、前記突出部３３の流入孔３４内には、貫通孔４２ａを形成した係止部材４２の上半部を嵌挿してあり、その下半部は流入孔３４より下方に位置させてある。
そして、容器２６内の水ｗが所定水位に到達すると、フロート２８の支持部４０に固定したパッキン４１が係止部材４２の貫通孔４２ａを閉鎖し、流入孔３４より容器２６内に水を流入させないようになっている。
【００４３】
水圧制御装置６は、上記のような構成であるから、配水パイプの分岐部３５から上側流量調整バルブ１７、蓋体２７の流入孔３４を流通してきた水は、係止部材４２の貫通孔４２ａから容器２６内に流入する。
そして、容器２６内に貯留している水は、容器２６の流出孔３０、下側流量調整バルブ１８、給水パイプ２を流通して給水器４にまで到達する。
【００４４】
仔豚Ｐ１が飲水しない時には、給水器４から水は流出しないから、容器２６内に水が徐々に貯留されていき、貯留された水の浮圧によってフロート２８の本体部３９が上方に移動する。
そして、フロート２８の支持部４０に固定したパッキン４１が係止部材４２の下端に当接し、貫通孔４２ａを閉塞すると、容器２６内には水が流入しなくなる。
【００４５】
仔豚Ｐ１が給水器４を口で銜えて、作用杆１４を揺動すると、給水器４の排出口から水が流出するが、給水器４における水圧は、水圧制御装置６の容器２６から給水器４までの高低差となり、配水パイプ内の水圧よりも相当程度低減されるから、給水器４の排出口から勢い良く水が流出し、貯水カップ５の外部に水が飛び散って、周囲を不衛生にすることはない。
【００４６】
又、給水器４における水圧は、水圧制御装置６の容器２６から給水器４までの高低差となり、常時安定した水圧を維持することができるから、無駄に水を流出することもなくなり、無駄に水が消費されることもない。
【００４７】
又、給水器４において水圧が低減されるから、給水器４内を貫通する通水孔１３の孔径Ｈを大きくすることができ、通水孔１３内に砂塵、ゴミ、水垢等が付着して目詰まりが発生し、給水器４の排出口から水が流出しなくなる不具合も発生しなくなる。
よって、通水孔１３の手前に金網部材を装着する必要がなくなり、逆に、金網部材を装着すると、その網目に砂塵、ゴミ、水垢等が付着して目詰まりを発生させるから、金網部材を装着する意味がなくなった。
【００４８】
水圧制御装置６は、又、装置本体１６の上方部又は下方部に流量調整バルブ１７，１８を付設したから、流量調整バルブ１７，１８の作用杆２１，２４を回動操作させることによって、バルブの開度を調節し、給水器４に供給される水の流量を適宜調整することができるから、畜舎全体の使用水量に対応させて、又、仔豚の生育状況に対応させて、水の供給量を適宜変更することができる。
【００４９】
上記の如く、本発明の家畜用給水装置１によれば、配水パイプ内の高い水圧は給水器４において低減され、しかも、給水器４から流出した水は貯水カップ５に貯留されるから、
仔豚Ｐ１は常時衛生的な水を飲むことができ、病気等を発症することもない。
【００５０】
又、給水器４の排出口から勢い良く水が流出し、貯水カップ５の外部に水が飛び散ることがないから、肥育区画１０４内に水が貯留することもなくなり、肥育舎内が極めて衛生的となる。
【００５１】
さらに、給水パイプ２を支持部材３の案内孔７ａに沿って適宜上下方向に移動させ、締付部材１０によって給水パイプ２の外周面を押圧すれば、給水パイプ２を適宜位置に固定できるから、給水器４及び貯水カップ５の高さ方向位置を極めて容易に設定することができる。
【００５２】
よって、仔豚Ｐ１が生育して肥育豚Ｐ２になっても、給水器２０５の位置を調整して、水を飲み易くすることができると共に、貯水カップ５内に糞、尿Ｅ等が侵入することもなくなって、肥育豚Ｐ２の肥育に問題が生じることもない。
【００５３】
尚、フロート２８を使用した上記水圧制御装置６に代えて、ダイヤフラム、スプリング等を使用した機械的な減圧弁を水圧制御装置として採用することもできる。
【００５４】
しかし、このような機械的な減圧弁は、畜舎内という劣悪な環境下では故障が発生し易く、錆等も発生して耐久性に問題があるため、保守、管理が大変であり、又、構成部品が比較的高価で、部品点数も多いため、装置自体も高価になる。
一方、フロート２８を使用した水圧制御装置６は、故障が発生し難く、錆等も発生し難く、保守、管理も容易であり、構成部品が安価で、部品点数も少ないため、装置自体も安価になるので、より好ましい。
【図面の簡単な説明】
【００５５】
【図１】本発明の家畜用給水装置の外観斜視図である。
【図２】図１の家畜用給水装置に装着される給水器の（Ａ）は外観斜視図、（Ｂ）は縦断面図である。
【図３】水圧制御装置の縦断面図である。
【図４】本発明の家畜用給水装置の使用状態説明図である。
【図５】本発明の家畜用給水装置を配設した豚舎の斜視図である。
【図６】従来の家畜用給水装置を配設した豚舎の斜視図である。
【図７】従来の家畜用給水装置の外観斜視図である。
【図８】図７の家畜用給水装置に装着される給水器の（Ａ）は外観斜視図、（Ｂ）は縦断面図である。
【符号の説明】
【００５６】
１  家畜用給水装置
２  給水パイプ
３  支持部材
４  給水器
５  貯水カップ
６  水圧制御装置
７ａ  案内孔
７ｂ  ネジ孔
１０  締付部材
１６  装置本体
１７  上側流量調整バルブ
１８  下側流量調整バルブ
２５  筐体
２８  フロート
【図１】
2008092805.tif 000003
【図２】
2008092805.tif 000004
【図３】
2008092805.tif 000005
【図４】
2008092805.tif 000006
【図５】
2008092805.tif 000007
【図６】
2008092805.tif 000008
【図７】
2008092805.tif 000009
【図８】
2008092805.tif 000010